(57)【要約】【課題】就寝中の花粉症患者を、花粉等による影響、被害から効果的に防衛することのできる花粉症患者用蚊帳を提供する。【解決手段】就寝中の就寝者の上部空間（内部空間）４を当該上部空間（内部空間）４以外の外部の空間（外部空間）５と区画する花粉症患者用蚊帳であって、内部空間４と外部空間５との区画は、布部材からなる有頂の仕切り部材によって行われる花粉症患者用蚊帳、好ましくは、前記有頂の仕切り部材は、複数枚の化学繊維製の布部材２６ａ、２６ｂが相互の間に空間（中間空間）３０を存在させて積層されてなる有頂の仕切り部材である花粉症患者用蚊帳１、１１によって課題を解決した。【選択図】　図１
2004065640.tif 000002
【特許請求の範囲】
【請求項１】
就寝中の就寝者の上部空間を当該上部空間以外の外部の空間と区画する蚊帳であって、当該蚊帳による前記上部空間と外部の空間との区画は、布部材からなる有頂の仕切り部材によって行われるものであり、当該有頂の仕切り部材は、有頂中空の角錐状、円錐状、角柱状、又は、円柱状で、就寝者の少なくとも頭部部分を覆うように上部から吊り下げられ、又は、就寝者の少なくとも頭部部分を覆うように就寝者の頭部周辺に立設設置され、当該蚊帳の最下端側から頂点側への丈が１．５メートル以上を有するものであることを特徴とする花粉症患者用蚊帳。
【請求項２】
就寝中の就寝者の上部空間を当該上部空間以外の外部の空間と区画する蚊帳であって、当該蚊帳による前記上部空間と外部の空間との区画は、布部材からなる有頂の仕切り部材によって行われるものであり、当該有頂の仕切り部材は、有頂中空の角錐状、円錐状、角柱状、又は、円柱状で、就寝者の少なくとも頭部部分を覆うように上部から吊り下げられ、又は、就寝者の少なくとも頭部部分を覆うように就寝者の頭部周辺に立設設置され、当該蚊帳の最下端側から頂点側への丈が０．８メートル以上を有すると共に、前記仕切り部材の頂部付近に前記内部空間の空気を吸引して外部へ排気するための排気手段につながる吸気口を備えたことを特徴とする花粉症患者用蚊帳。
【請求項３】
一枚の布部材又は複数枚の布部材が相互の間に空間を存在させて積層されて有頂の仕切り部材が構成されていることを特徴とする請求項１又は２記載の花粉症患者用蚊帳。
【請求項４】
複数枚の布部材相互の間に存在する空間に、メッシュ状の部材が配置されてなる請求項３記載の花粉症患者用蚊帳。
【請求項５】
布部材は化学繊維製であることを特徴とする請求項１乃至４のうちいずれか一項記載の花粉症患者用蚊帳。
【請求項６】
布部材は不織布であることを特徴とする請求項１乃至４のうちいずれか一項記載の花粉症患者用蚊帳。
【請求項７】
不織布は化学繊維製、天然繊維製または化学繊維及び天然繊維を混合したものであることを特徴とする請求項６記載の花粉症患者用蚊帳。
【発明の詳細な説明】
【０００１】
【発明の属する技術分野】
この発明は、花粉症患者が花粉等を口、鼻などから吸引することを未然に防止するための器具に関し、特に、就寝中の花粉症患者が花粉等による影響を受けることを効果的に防止できる花粉症患者用蚊帳に関する。
【０００２】
【従来の技術】
花粉症の患者にとって、花粉、ほこり、家ダニやその死骸など（本明細書において、このように、花粉症患者に花粉アレルギーを引き起こすおそれのある空気中の微細な浮遊物を総称して「花粉等」という）が飛ぶ部屋で就寝することは非常に苦痛である。部屋の中でいわゆる空気清浄機・器を作動させておいたり、昼間と同様に、マスクをつけて就寝する等の防衛処置を講じても、花粉症の患者が花粉等の飛ぶ部屋で就寝すれば、鼻詰まり、鼻詰まりによる呼吸困難、喉の腫れ等によって寝不足となり、薬の多用などによって、更なる防衛処置を講じざるを得なかった。しかし、薬の多用は、薬の副作用に対する不安があり、特に妊娠中の女性などにとっては、不安なものである。また、このように、就寝中に花粉等を原因とする花粉症の諸症状に悩まされていると、翌日の日中に生じる、クシャミ、目の耐えられない痒み等の花粉症の諸症状は一層厳しいものとなって花粉症患者を苦しめるのである。
【０００３】
【発明が解決しようとする課題】
前記のように、昼間の花粉症への対策に関しては、優れた高機能のマスク、眼鏡等が提案されているが、就寝時における花粉症への対策は、昼間でも使用している空気清浄機・器等程度しか提案されていなかった。
【０００４】
この発明は、就寝中の花粉症患者を、花粉等による影響、被害から効果的に防衛することのできる花粉症患者用器具、特に、花粉症患者用蚊帳であって、簡単に製造でき、かつ、低コストで提供できるものであって、就寝中の花粉症患者と花粉等との接触を効果的に遮断できるだけでなく、精神的安定、リラクシゼーション、騒音の遮断などにも役立ち、花粉症患者の安らかな睡眠に資することのできる花粉症患者用蚊帳を提供することを目的としている。
【０００５】
【課題を解決するための手段】
前記課題を解決するため、この発明が提案する花粉症患者用蚊帳は、就寝中の就寝者の上部空間を当該上部空間以外の外部の空間と区画する花粉症患者用蚊帳である。かかる花粉症患者用蚊帳によって、就寝中の就寝者の上部空間（以下、本明細書において「内部空間」ということがある）に、当該上部空間以外の外部の空間（以下、本明細書において「外部空間」ということがある）から花粉等が侵入することを防止し、就寝中の花粉症患者と花粉等との接触を効果的に遮断せんとするものである。
【０００６】
前記の花粉症患者用蚊帳において、就寝中の就寝者の上部空間（内部空間）と、当該上部空間（内部空間）以外の外部の空間（外部空間）との区画は、布部材からなる有頂の仕切り部材によって行われるようにすることができる。
【０００７】
このように、布部材を仕切り部材として花粉症患者用蚊帳を構成することにより、就寝中の就寝者の上部空間（内部空間）以外の外部の空間（外部空間）から就寝中の就寝者の上部空間（内部空間）に花粉等が侵入することを防止できる。
【０００８】
この一方、就寝者の身体から発する熱によって、内部空間内でいわゆるエントツ効果による穏やかな空気の上昇流が生じ、この内部空間内での穏やかな空気の上昇流に応じて、花粉等が取り除かれた空気が、外部空間から布部材を介して、常に、穏やかに内部空間に侵入してくる。そこで、花粉症患者用蚊帳によって上部空間（内部空間）を覆われている就寝者は、暑苦しさや息苦しさを感じることなく、前記本発明の花粉症患者用蚊帳を使用することができる。
【０００９】
なお、この就寝中の就寝者の上部空間（内部空間）における、就寝者の身体から発する熱によって生じるエントツ効果を確実ならしめると共に、より高い精神的安定・リラクシゼーション効果、寝心地のよさを提供するために、前記本発明の花粉症患者用蚊帳は、その丈（花粉症患者用蚊帳の最下端側から仕切り部材の頂点側、あるいは頂板部分側までの長さ）を１．５メートル以上とすることが望ましい。
【００１０】
このように、花粉症患者用蚊帳の丈を１．５メートル以上とすれば、エントツ効果により内部空間内での穏やかな空気の上昇流を生じさせることができる。また、前記仕切り部材の頂部付近に就寝中の就寝者の上部空間（内部空間）の呼吸や体温によって暖まった空気を強制的に外部へ排出するための排気手段につながる吸気口を設けておき、当該吸気口に接続した排気手段によって就寝中の就寝者の上部空間（内部空間）の呼吸や体温によって暖まった空気を強制的に外部へ排出することによっても内部空間内での空気の上昇流を生じさせることができる。
【００１１】
ここで、前記排気手段としては、例えば、エアーポンプ等を採用することができ、花粉症患者用蚊帳の上部付近からエアーポンプによって就寝中の就寝者の上部空間（内部空間）の空気を強制的に排気することによって、内部空間では空気の上昇流が生じ、この内部空間内での空気の上昇流に応じて、花粉等が取り除かれた空気が、外部空間から布部材を介して、常に、内部空間に侵入し、空気の入れ換えが行われる。このため、花粉症患者用蚊帳によって上部空間（内部空間）を覆われている就寝者は、エアーポンプ等の排気手段を備えていない花粉症患者用蚊帳の使用時と比較してもさらに暑苦しさや息苦しさを感じることなく、前記本発明の花粉症患者用蚊帳を使用することができる。
【００１２】
このように、エアーポンプ等の排気手段による内部空間の空気の排気を行えば、エントツ効果が有効に発揮される花粉症患者用蚊帳の丈が１．５メートル以上でなくても、外部空間から布部材を介して、常に、内部空間に侵入させることができるので、花粉症患者用蚊帳の丈は０．８メートル以上確保しておけばよい。この０．８メートル以上というのは、就寝中の就寝者の上部空間に就寝者が圧迫感を覚えることがない程度の余裕を与え、寝返りをしたりしても仕切り部材が就寝者の顔等に触れることがない空間を確保する高さである。
【００１３】
なお、エアーポンプ等の排気手段による排気を行う場合には、花粉症患者用蚊帳の丈は０．８メートル以上確保しておけばよいが、もちろん、１．５メートル以上の高さでエントツ効果を有効に発揮することができる花粉症患者用蚊帳にエアーポンプ等の排気手段を取り付けることもできる。
【００１４】
また、前記における布部材は、ナイロン、テトロンのような化学繊維製とすることが望ましい。就寝中の就寝者の上部空間（内部空間）と、当該上部空間（内部空間）以外の外部の空間（外部空間）との区画を行う仕切り部材たる布部材を化学繊維製のものとすると、就寝者の寝返りなどによって寝具（布団など）と、化学繊維製の布部材とが擦れ合うことによって静電気が生じ、花粉等を化学繊維製の布部材の外側表面に静電吸着でき、外部空間から内部空間に花粉等が侵入することをより効果的に防止することができる。
【００１５】
更に、たとえ、内部空間に侵入する花粉等があったとしても、内部空間と外部空間との間における気圧差はほとんど無く、内部空間における前述したエントツ効果による緩やかな空気の上昇流に連れて、外部空間に存在していた空気が緩やかに（極めて遅い速度で）内部空間内に侵入してくるだけにすぎないので、内部空間に侵入した花粉等は、化学繊維製の布部材に生じている静電気によりただちに化学繊維製の布部材の内側表面に静電吸着される。したがって、内部空間内に花粉等が飛散することはほとんどなく、就寝中の花粉症患者と花粉等との接触の遮断をより効果的に行うことができる。
【００１６】
また、前記布部材は、織布であっても良いが、不織布とすることもできる。この不織布は、現在用いられているどのような繊維から成形されるものであっても良い。例えば全体を化学繊維製としたものであっても良いし、全体を天然繊維製としたものであっても良い。また、化学繊維と天然繊維を混合して成形することもできる。
【００１７】
ここで、化学繊維製の不織布としてポリプロピレン、ナイロン、ポリエステル等を原料とした太さが０．５〜５ミクロン、０．０３デニール程度の超極細繊維からなり、超高性能特殊フィルターとして使用することができる不織布（以下、「超高性能特殊フィルター用不織布」という）を使用することもできる。当該超高性能特殊フィルター用不織布は、それ自体で花粉等の０．１ミクロンまでの粒子の９９％以上を捕捉することができるので、この不織布を用いれば、当該不織布が１枚だけであっても、十分、就寝中の花粉症患者と花粉等との接触の遮断を効果的に行うことができる。
【００１８】
前記の花粉症患者用蚊帳において、就寝中の就寝者の上部空間（内部空間）と、当該上部空間（内部空間）以外の外部の空間（外部空間）との区画は、複数枚の布部材が相互の間に空間を存在させて積層されてなる有頂の仕切り部材によって行われるようにするとより好ましい。
【００１９】
布部材は、一枚だけでも花粉等を遮断でき、特に、超高性能特殊フィルター用不織布は前記のように１枚だけであっても、十分、就寝中の花粉症患者と花粉等との接触の遮断を効果的に行うことができる。しかし、複数枚の布部材が相互の間に空間を存在させて積層されてなる有頂の仕切り部材によって行われるような構成にすると、外部空間において飛んでいる花粉等は、少なくとも、外側の布部材、外側の布部材と内側の布部材との間の空間部（以下、本明細書において「中間空間」ということがある）、内側の布部材を通り抜けなければ、就寝中の就寝者の上部空間（内部空間）に侵入することができないので、就寝中の花粉症患者と花粉等との接触の遮断を一層効果的に行うことができる。
【００２０】
ここで、相互の間に空間を存在させて積層される複数枚の布部材は、２枚の布部材を相互の間に空間を存在させて積層するものであってもよいし、３枚の布部材を外側の布部材と中間の布部材との間に空間（中間空間）を存在させ、中間の布部材と内側の布部材との間に空間（中間空間）を存在させて積層するもの、あるいは、更に、多数枚の布部材を相互の間に空間を存在させて積層するものであってもよい。
【００２１】
発明者の実験によれば、２枚の布部材を相互の間に空間を存在させて積層させた形態のもので、極めて優れた効果（花粉等の外部空間から内部空間への侵入防止効果）が確認でき、３枚の布部材を相互の間に空間を存在させて積層させた形態のものは、さらに優れた効果（花粉等の外部空間から内部空間への侵入防止効果）が確認できでた。但し、布部材を４枚以上積層しても、３枚積層した場合に比較してその効果（花粉等の外部空間から内部空間への侵入防止効果）に顕著な相違が生じるものではないので、優れた効果（花粉等の外部空間から内部空間への侵入防止効果）を得つつ、製造工程の簡略化、製造コストのより低廉化を図る上では、２枚の布部材を相互の間に空間を存在させて積層させた形態のものが優れている。
【００２２】
前記の就寝者の上部空間（内部空間）と、当該上部空間（内部空間）以外の外部の空間（外部空間）との区画を、複数枚の布部材が相互の間に空間を存在させて積層されてなる仕切り部材によって行う構成の花粉症患者用蚊帳において、布部材をナイロン、テトロンのような化学繊維製、さらには、超高性能特殊フィルター用不織布とすることが一層好ましい。
【００２３】
このようにすると、前述したように、寝具（布団など）と、化学繊維製の布部材とが擦れ合うことによって静電気が生じるだけでなく、積層されている化学繊維製の布部材同士が擦れ合うことによっても静電気が生じ、たとえ、外部空間に面している最外側の布部材を通り抜けてきた花粉等があったとしても、そのような花粉等は積層されている布部材と布部材との間の空間（中間空間）にて滞留させられ、内部空間に面している最内側の布部材を通り抜けて内部空間に侵入することはほとんどなくなる。さらに、布部材として前記超高性能特殊フィルター用不織布を使用すれば、当該不織布で花粉等を捕捉することと相俟って、花粉等をほぼ完全に遮断できる。
【００２４】
また、前記のように、就寝者の上部空間（内部空間）と、当該上部空間（内部空間）以外の外部の空間（外部空間）との区画を、複数枚の布部材が相互の間に空間を存在させて積層されてなる仕切り部材によって行う構成の花粉症患者用蚊帳において、複数枚の布部材相互の間に存在する空間（中間空間）に、メッシュ状の部材が配置されているように構成することもできる。
【００２５】
このように、中間空間に、メッシュ状の部材を配置しておくと、たとえ、外側の布部材を通り抜けてきた花粉等があったとしても、そのような花粉等は積層されている布部材と布部材との間の空間（中間空間）に配置されているメッシュ状の部材に補足され、内側の布部材を通り抜けて内部空間に侵入することはほとんどなくなる。
【００２６】
なお、メッシュ状の部材としては、網目織の部材、ガーゼのように極めて荒く柔らかい綿布などを採用することができ、更に、これらのメッシュ状の部材を、ナイロン、テトロンのような化学繊維製にすれば、静電気による吸着効果も重畳されて、外部空間から内部空間への花粉等の侵入を防止する効果を更により良く発揮させることができる。
【００２７】
以上説明した本発明の花粉症患者用蚊帳による、就寝中の就寝者の上部空間（内部空間）と当該上部空間（内部空間）以外の外部の空間（外部空間）との区画は、少なくとも、就寝者の目、鼻孔、口、耳孔などが接する空間（就寝中の就寝者の上部空間＝内部空間）が、外部空間から区画されるものであればよいので、例えば、有頂中空の角錐状、円錐状、角柱状、円柱状の花粉症患者用蚊帳が、就寝者の少なくとも頭部部分を覆うように上部から吊り下げられ、又は就寝者の少なくとも頭部部分を覆うように就寝者の頭部周辺に立設設置されるようにすることができる。
【００２８】
【発明の実施の形態】
以下、添付図面を参照して本発明の好ましい実施形態を説明する。
【００２９】
図１は、就寝中の就寝者の上部空間を当該上部空間以外の外部の空間と区画するこの発明の花粉症患者用蚊帳１の好ましい実施形態における使用例の一つを表す斜視図である。
【００３０】
４枚の化学繊維製（ナイロン製）の布部材６ａ、６ｂ、６ｃ、６ｄ（この実施例では、各布部材の大きさは、底辺９０ｃｍ、高さ１８０ｃｍ）が四角形の枠体７によって形を整えられた、有頂中空で四角錐形状の花粉症患者用蚊帳１が、紐部材８によって寝室の天井、あるいは鴨居から吊り下げられている。
【００３１】
この有頂中空で四角錐形状の、４枚の布部材６ａ、６ｂ、６ｃ、６ｄからなる花粉症患者用蚊帳１によって、寝具（布団）９ａ、９ｂを用いて就寝中の就寝者（花粉症患者）２の上部空間（内部空間）４に、当該上部空間（内部空間）４以外の外部の空間（外部空間）５から花粉等が侵入することを防止し、就寝中の花粉症患者２と花粉等との接触を効果的に遮断することができる。この結果、就寝中の花粉症患者２は、薬を服用する等の特別の対策を講じなくても、就寝中に、花粉アレルギーによる発作に襲われることは無く、快適な睡眠をとることができる。
【００３２】
一方、就寝中の花粉症患者２の身体から発する熱によって、花粉症患者２の上部空間（内部空間）４内でいわゆるエントツ効果による穏やかな空気の上昇流が生じ、これに応じて、花粉等が取り除かれた空気が、布部材６ａ、６ｂ、６ｃ、６ｄを介して、常に、穏やかに内部空間４に侵入してくる。そこで、図１図示のように、花粉症患者用蚊帳１によって上部空間（内部空間）４が外部空間５から区画されることにより、花粉症患者用蚊帳１で上部空間（内部空間）４を覆われている就寝者（花粉症患者）２は、暑苦しさや息苦しさを感じることなく、花粉症患者用蚊帳１を使用することができる。
【００３３】
なお、布部材６ａ、６ｂ、６ｃ、６ｄを厚手の生地とすれば、外部からの騒音を遮断できる効果もある。このように厚手の生地を使用しても、花粉症患者用蚊帳１の丈（花粉症患者用蚊帳１の最下端側から仕切り部材の頂点側、あるいは頂板部分側までの長さ）を１．５メートル以上としておけば、前述したエントツ効果によって、就寝中の花粉症患者２の体温が内部空間４内にこもることはなく、ゆっくりと内部空間４内の空気が上昇し、花粉等が除去された新鮮な空気が、布部材６ａ等を介して、ゆっくりと外部空間５から内部空間４へと補給されて来るので、就寝中の就寝者（花粉症患者）２が、息苦しさを感じることは無い。
【００３４】
発明者の実験によれば、むしろ、花粉症患者用蚊帳１の中では、リラックスし、精神的に安定した状態で睡眠することができた。
【００３５】
また、花粉症患者用蚊帳１を構成する布部材６ａ等の彩色を適宜選択することにより、不眠症の解消に効果を上げることもできる。
【００３６】
図１図示の実施例においては、化学繊維製（ナイロン製）の布部材６ａを採用しているので、就寝者（花粉症患者）２の寝返りなどによって、寝具（布団など）９ａ、９ｂと布部材６ａ等とが擦れ合うことによって生じる静電気により、花粉等を布部材６ａの表面に吸着できるので、外部空間５から内部空間４に花粉等が侵入することをより効果的に防止できる。
【００３７】
しかし、発明者の実験によれば、木綿等の布部材によって花粉症患者用蚊帳１を構成した場合であっても、外部空間５にいるときは、花粉アレルギーによる鼻水、クシャミ、目の耐えられないばかりの痒みに襲われていた花粉症患者が、内部空間４内で、マスクをつけることも、薬の服用も行わないにもかかわらず、鼻詰まり、喉の腫れ、鼻詰まりを原因とする呼吸困難などの花粉症の諸症状に襲われることなく、安眠することができた。すなわち、木綿等の布部材によって花粉症患者用蚊帳１を構成した場合であっても、内部空間４への外部空間５からの花粉等の侵入を防止できることが確認できた。
【００３８】
さらに、ポリプロピレン、ナイロン、ポリエステル等を原料とした太さが０．５〜５ミクロン、０．０３デニール程度の超極細繊維からなる不織布の布部材によって花粉症患者用蚊帳１を構成した場合であっても、内部空間４への外部空間５からの花粉等の侵入を防止できることが確認できた。
【００３９】
なお、この不織布は花粉症患者用のマスクにも超高性能特殊フィルターとして使用されることがあるものであり、花粉等を捕捉する効果は、広く認められているところであって、この不織布一枚のみでも十分に花粉等の侵入を防止することができるものである。
【００４０】
そして、この、外部空間５から内部空間４内に花粉等が侵入することを防止する効果は、木綿等の布部材によって花粉症患者用蚊帳１を構成した場合であっても、以下に述べる実施形態のように、複数枚の布部材が相互の間に空間を存在させて積層されてなる構成にすれば、より一層よく発揮されることが、発明者の実験によって確認できた。
【００４１】
図３（ａ）は、この発明の花粉症患者用蚊帳１において、就寝中の就寝者（花粉症患者）２の上部空間（内部空間）４と、当該上部空間（内部空間）４以外の外部の空間（外部空間）５との区画を、布部材２６ａ、２６ｂが相互の間に空間（中間空間）３０を存在させて積層されてなる有頂の仕切り部材によって行われる場合の、仕切り部材の一部を断面して説明するものである。
【００４２】
このような構成にすると、外部空間５において飛んでいる花粉等３１は、外側の布部材２６ａ、中間空間３０、内側の布部材２６ｂを通り抜けなければ、内部空間４に侵入することができない。すなわち、複数枚の布部材が相互の間に空間を存在させて積層されていることによって、外部空間５において飛んでいる花粉等３１は、少なくとも、外側の布部材２６ａ、中間空間３０、内側の布部材２６ｂという三層のフィルターを通過しなければ、内部空間４に侵入することができない。そこで、就寝中の花粉症患者２と花粉等３１との接触の遮断を一層効果的に行うことができる。
【００４３】
ここで、布部材２６ａ、２６ｂを化学繊維製（テトロン製）とすれば、前述したように、寝具（布団など）９ａ、９ｂと、化学繊維製の布部材２６ａ、２６ｂとが擦れ合うことによって静電気が生じるだけでなく、積層されている化学繊維製の布部材２６ａ、２６ｂ同士が擦れ合うことによっても静電気が生じ、たとえ、外部空間に面している最外側の布部材２６ａを通り抜けてきた花粉等３２があったとしても、そのような花粉等３２は積層されている布部材２６ａと布部材２６ｂとの間の空間（中間空間）３０にて滞留させられ（図３（ａ））、内部空間４に面している最内側の布部材２６ｂを通り抜けて内部空間４に侵入することはほとんどなくなる。
【００４４】
図３（ｂ）は、この発明の花粉症患者用蚊帳１において採用される更に他の内部空間４と外部空間５とを区画する仕切り部材の構成を説明する一部断面図である。すなわち、複数枚の布部材３６ａ、３６ｂ相互の間に存在する空間（中間空間）３０に、メッシュ状の部材３３が配置されているものである。
【００４５】
中間空間３０に、メッシュ状の部材３３が配置されていることにより、たとえ、外側の布部材３６ａを通り抜けてきた花粉等３２があったとしても、そのような花粉等３２は積層されている布部材３６ａと布部材３６ｂとの間の空間（中間空間）３０に配置されているメッシュ状の部材３３に補足され、内側の布部材３６ｂを通り抜けて内部空間４に侵入することはほとんどなくなる。
【００４６】
次に、本発明の他の実施形態について説明する。図４図示の花粉症患者用蚊帳３７が図１図示の花粉症患者用蚊帳１と異なる点は、仕切り部材を構成する布部材に３８ａに設けた吸気口４３にパイプ４０を取り付け、エアーポンプ本体３９により、内部空間４内の空気を強制的に排気できるようにした点である。
【００４７】
図１図示の花粉症患者用蚊帳１では、その高さを１．５メートル以上としてエントツ効果を発揮させ、外部空間５から内部空間４へ新鮮な空気を補給していたが、図４図示の花粉症患者用蚊帳３７では、エアーポンプ本体３９によって呼吸や体温によって温まった内部空間４内の空気を強制的に排出することにより、布部材３８ａ、３８ｂ、３８ｄを介して外部空間５から内部空間４へ新鮮な空気を補給できるようにしている。
【００４８】
このため、花粉症患者用蚊帳３７の４枚の布部材３８ａ、３８ｂ、３８ｄの高さは、花粉症患者用蚊帳１の高さよりも低い０．８メートル以上にしておけばよい。
【００４９】
また、エアーポンプ３９を備えた図４図示の実施の形態においても、図１図示の花粉症患者用蚊帳１と同様に、化学繊維等の布部材や、不織布の布部材によって構成することができ、複数枚の布部材が相互の間に空間を存在させて積層されてなる構成とすることもできる。
【００５０】
なお、花粉症患者用蚊帳１を説明した図１における場合と同一の部分には、図１で採用されている符号と同一の符号をつけ、それらの説明は省略する。
【００５１】
以上、添付図面を参照して本発明の好ましい実施形態を説明したが、本発明はかかる実施形態に限定されるものではなく、特許請求の範囲の記載から把握される技術的範囲において種々の態様に変更可能である。
【００５２】
例えば、本発明の花粉症患者用蚊帳１による、就寝中の就寝者（花粉症患者）２の上部空間（内部空間）４と当該上部空間（内部空間）４以外の外部の空間（外部空間）５との区画は、少なくとも、就寝者（花粉症患者）２の目、鼻孔、口、耳孔などが接する空間（就寝中の就寝者の上部空間＝内部空間４）が、外部空間５から区画されるものであればよいので、図１図示のような、有頂中空の角錐状の形態に止まらず、例えば、有頂中空の円錐状、角柱状、円柱状の花粉症患者用蚊帳とし、これらが、就寝者（花粉症患者）２の少なくとも頭部３部分を覆うように上部から吊り下げられ、又は就寝者（花粉症患者）２の少なくとも頭部３部分を覆うように就寝者（花粉症患者）２の頭部３周辺に立設設置されるようにすることができる。
【００５３】
図２は、頂板部の布部材１６ｂと、周壁部の布部材１６ａとからなる仕切り部材からなる有頂中空の円柱状の花粉症患者用蚊帳１１の使用状態を説明するものである。また、図５は、図２図示の花粉症患者用蚊帳１１の頂板部の布部材１６ｂに設けた吸気口４４に小型エアーポンプ４２を取り付けた花粉症患者用蚊帳４１の使用状態を説明するものである。ここでは、花粉症患者用蚊帳１を説明した図１における場合と同一の部分には、図１で採用されている符号と同一の符号をつけ、それらの説明は省略する。
【００５４】
なお、小型エアーポンプ４２は、図４図示のエアーポンプ本体３９を小型化して、花粉症患者用蚊帳４１の頂板部の布部材１６ｂに取り付けできるようしたものであり、もちろん、エアーポンプ本体とパイプ４０に代えて図４図示の花粉症患者用蚊帳３７に取り付け、使用することができる。また、これとは逆に、エアーポンプ本体３９とパイプ４０を小型エアーポンプ４２に代えて花粉症患者用蚊帳４１に取り付けることもできる。
【００５５】
また、図５図示の花粉症患者用蚊帳４１は、小型エアーポンプ４２を取り付けたことにより、エントツ効果に依ること無く新鮮な空気の補給ができるので、図２図示の花粉症患者用蚊帳１１よりも高さを低くすることができている。
【００５６】
以上説明したように、本発明の花粉症患者用蚊帳は、就寝中の就寝者（花粉症患者）２の上部空間（内部空間）４と、当該上部空間（内部空間）４以外の外部の空間（外部空間）５とを区画する仕切り部材を、たかだか、５平方ｍ程度（図１図示の実施形態の場合）の布部材（中間空間３０を有する２枚の布部材の積層体にする場合にはこの２倍の面積）を用いて構成し、紐部材等によって天井から吊す（この際、必要ならば、図１、図２、図４、図５図示のように、枠体７、１７等を用いて形状を整える）、あるいは、不図示の立設手段によって（例えば、支持枠などを用いて）、就寝者（花粉症患者）２の頭部３周辺に立設設置するだけであるので、極めて、低コストで、かつ簡単に製造することができる。
【００５７】
【発明の効果】
この発明の花粉症患者用蚊帳によれば、就寝中の花粉症患者を、花粉等による影響、被害から効果的に防衛することができる。
【００５８】
すなわち、本発明の花粉症患者用蚊帳によって、外部空間との区画が行われた内部空間内で花粉症患者が就寝すれば、部屋の中でいわゆる空気清浄機・器を作動させていなくても、また、マスクの装着や、薬の服用を行わなくても、鼻詰まり、鼻詰まりによる呼吸困難、喉の腫れ等の花粉症の症状に襲われることなく、花粉症患者は、安眠することができる。このように、花粉症の症状に襲われることなく、夜間に、安眠できると、夜間にこのように花粉等の影響から防衛されていない場合に比較して、翌日の日中に生じる、クシャミ、目の耐えられない痒み等の花粉症の諸症状も、緩和されたものとなるので、この発明の花粉症患者用蚊帳は、花粉症患者の苦しみを緩和する上では、極めて効果的なものである。
【００５９】
また、この発明の、花粉症患者用蚊帳は、簡単に製造でき、かつ、低コストで提供できる。
【００６０】
更に、この発明によれば、就寝中の花粉症患者と花粉等との接触を効果的に遮断できるだけでなく、精神的安定、リラクシゼーション、騒音の遮断などにも役立ち、花粉症患者の安らかな睡眠に資することのできる花粉症患者用蚊帳を提供することができる。
【００６１】
また、エアーポンプにより花粉症患者用蚊帳によって、外部空間との区画が行われた内部空間内の空気を強制的に排気することのより、呼吸や体温によって暖まった空気を排出することができるので、就寝者により快適な睡眠を提供することができる。
【図面の簡単な説明】
【図１】本発明の花粉症患者用蚊帳の好ましい実施形態における使用例の一つを表す斜視図。
【図２】本発明の花粉症患者用蚊帳の他の好ましい実施形態における使用例の一つを表す斜視図。
【図３】（ａ）　内部空間と外部空間とを区画する仕切り部材の好ましい実施形態の一部断面図。
（ｂ）　内部空間と外部空間とを区画する仕切り部材の他の好ましい実施形態の一部断面図。
【図４】本発明のエアーポンプを取り付けた花粉症患者用蚊帳の好ましい実施形態における使用例の一つを表す斜視図。
【図５】本発明のエアーポンプを取り付けた花粉症患者用蚊帳の他の好ましい実施形態における使用例の一つを表す斜視図。
【符号の説明】
１、１１、３７、４１　花粉症患者用蚊帳
２　就寝者（花粉症患者）
３　頭部
４　内部空間
５　外部空間
６ａ、６ｂ、６ｃ、６ｄ、３８ａ、３８ｂ、３８ｄ　布部材
７、１７　枠体
８、１８　紐部材
９ａ、９ｂ　寝具（布団）
１６ａ　仕切り部材の周壁部の布部材
１６ｂ　仕切り部材の頂板部の布部材
２６ａ、２６ｂ、３６ａ、３６ｂ　布部材
３０　中間空間
３１、３２　花粉等
３３　メッシュ状部材
３９　エアーポンプ本体
４０　パイプ
４２　小型エアーポンプ
４３、４４　吸気口
【図１】
2004065640.tif 000003
【図２】
2004065640.tif 000004
【図３】
2004065640.tif 000005
【図４】
2004065640.tif 000006
【図５】
2004065640.tif 000007